(57)【要約】【課題】ユニットルームの天井パネルと壁パネルを接合するに際し、施工を容易にして且つ広いユニットルームを形成することを課題とする。【解決手段】壁パネル１の上部裏面に突起片１２を有するＬ型の天井板取付金具１１を、突起片を室内側に向け所定距離壁パネル１より上方に突出するように取付けた壁パネル１を建物躯体７に沿って立設するとともに、天井パネル２の表面端部を天井パネル２より外方に突出させその先端部を上方に折り曲げてなる天井パネル２の折り曲げ片２３を、壁パネル１と天井板取付け金具１１間に嵌合させた後、断面コ字型である長尺の天井固定ピース３の溝３１を天井板取付け金具１１の突起片１２に嵌め合わせ天井パネル２を固定する天井パネル２と壁パネル１の接合構造。【選択図】図１
2006299778.tif 000002
【特許請求の範囲】
【請求項１】
壁パネルの上部裏面に突起片を有する逆Ｌ型の天井板取付金具を、突起片を室内側に向け所定距離壁パネルより上方に突出するように取付けた壁パネルを建物躯体に沿って立設するとともに、天井パネルの表面端部を天井パネルより外方に突出させその先端部を上方に折り曲げてなる天井パネルの折り曲げ片を、壁パネル上辺と天井板取付け金具との間に嵌合させた後、断面コ字型である長尺の天井固定ピースの溝を天井板取付け金具の突起片に嵌め合わせ天井パネルを固定する天井パネルと壁パネルの接合構造。
【請求項２】
壁パネルに取付けてなる逆Ｌ型をなす天井板取付け金具の突起片の下面に鋸歯状部を設けた請求項１記載の天井パネルと壁パネルの接合構造。
【請求項３】
壁パネル上部と折り曲げ片を有する天井パネルの表面突出部との間に止水パッキンを設けた請求項１ないし２いずれか記載の天井パネルと壁パネルの接合構造。
【発明の詳細な説明】
【技術分野】
【０００１】  本発明は、天井パネルと壁パネルとの接合構造、特にユニットバスルームその他建物躯体完成後取付けられるユニットルームにおいて、ビス等を使用することなく施工するので施工が容易となる。又ビス等の脚の長さに相当する空間が不用となるのでその分ユニットルームを広くすることができる天井パネルと壁パネルの接合構造に関するものである。
【背景技術】
【０００２】  近年、ユニットバスルーム等建物躯体に取付けるユニット形式の室内形成が多く行われている。
【特許文献１】特開平７−２５２９０７号公報（第６頁、図１）
【発明の開示】
【発明が解決しようとする課題】
【０００３】  上記特許文献１に記載されているものは天井パネルに照明器具を取付けたりするもので、天井パネルに強度を付与するためにアーチ上に形成するものである。しかしこのようなものは特殊なものであり通常は本願の図４に示すように基材の表面材である化粧鋼板などの壁パネル１の表面材を上方に延長し折り曲げて形成した壁パネル１の上端に設けたＬ型の金具部と、表面に金属板を有する天井パネル２から外方に延びた表面金属板の下向きの突出部を設けた金具部分とをビス５で結合する。次いで天井パネルと壁パネル間に生じる空間にゴムやプラスチックの弾性体で形成された回り縁を押し込んで天井パネルと壁パネルを接合している。【０００４】  この場合ビス５で天井パネル２と壁パネル１を接合することになるために建物の躯体７と壁パネル１との間にビス５の脚が収納できる空間が必要となる。この空間がないとビスの締りが悪く種々の問題が生じると同時に建物の躯体７と壁パネル１の間にビス５の脚の長さに相当するデッドスペースが生じ、ビス５で施工するので施工に手間の掛るものである。
【課題を解決するための手段】
【０００５】  上記課題を解決するために、本発明に係る天井パネルと壁パネルの接合構造の第一の特徴構成は、請求項１に記載した如く、壁パネルの上部裏面に突起片を有する逆Ｌ型の天井板取付金具を、突起片を室内側に向け所定距離壁パネルより上方に突出するように取付けた壁パネルを建物躯体に沿って立設するとともに、天井パネルの表面端部を天井パネルより外方に突出させその先端部を上方に折り曲げてなる天井パネルの折り曲げ片を、壁パネルの上辺と天井板取付金具との間に嵌合させた後、断面コ形の長尺の天井固定ピースの溝を天井板取付金具の突起片に嵌め合わせ天井パネルを固定する点にある。
同第二の特徴構成は、請求項２に記載した如く、第一の特徴構成に加えて壁パネルに取付けてなる逆Ｌ型をなす天井板取付け金具の突起片の下面に鋸歯状部を設けた点にある。
同第三の特徴構成は、請求項３に記載した如く、壁パネル上部と折り曲げ片を有する天井パネルの表面突出部との間に止水パッキンを設けた点にある。
【発明の効果】
【０００６】  請求項１に記載の天井パネルと壁パネルの接合構造は前記構成であり、天井パネルと壁パネルの接合に従来例と異なりビスを用いないので建物躯体と壁パネルの間にビスの脚を収納する空間が不要となる。従ってビスの脚を収納する空間が不要となりユニットルームを形成するためのデッドスペースが減少するのでその分形成される室内が広くできると共にビスを用いないので施工が容易となる。【０００７】  請求項２に記載の天井パネルと壁パネルの接合構造は前記構成であるので、壁パネルに取付けてある逆Ｌ型の天井パネル取付け金具に設けた突起片の下面に鋸歯部があるので天井パネルが移動しようとしても鋸歯部により天井固定ピースが抜け落ちることがなく天井パネルの落下が生じない。【０００８】  請求項３に記載の天井パネルと壁パネルの接合構造は前記構成であるので、止水パッキンがあるためにユニットバスルームなどの水を使用する場所でも止水パッキンにより壁パネルの裏面に水や蒸気が回ることがない。従って断熱材の吸水による断熱性の低下や建物の躯体と壁パネルの間の空間が狭くなり通気性が悪くても黴の発生が防止できる。
【発明を実施するための最良の形態】
【０００９】  以下、本発明の実施形態について図面を参照して、詳細に説明する。図１は本発明に係る天井パネル２と壁パネル１の接合構造の一実施例を示すものである。壁パネル１はガラス繊維板や硅カル板あるいは石膏ボードなどの比較的硬質の板材で形成されその表面は化粧鋼板などが貼着されることで化粧が施されている。【００１０】  壁パネル１の上部裏面には断面逆Ｌ型の天井板取付け金具１１の折り曲げて形成された突起片１２が室内側に向けて壁パネル１の巾全長にわたって貼着されている。壁パネル１と突起片１２との間には天井パネル２の折り曲げ片２３が嵌合できるように所定の空間を有して取付け金具１１が壁パネル１の上方に突出するようになっている。【００１１】  天井パネル２はガラス繊維やロックウールその他の断熱材２１で出来ておりその表面には化粧鋼板、プラスチック板等の硬質の化粧材２２が接着されて化粧されている。天井パネル２の側端は表面の化粧材２２が天井パネル２の基材である断熱材２１の外方に突出しており、天井パネル２の突出部２４の先端は上方に折り曲げられて折り曲げ片２３を形成している。【００１２】  この天井パネル２の折り曲げ片２３により天井パネル２の突出部２４の輸送中や施工中の天井パネル２の変形が防止され、壁パネル１の上辺への挿入が容易となる。この折り曲げ片２３の高さは壁パネル１の上辺と天井板取付金具１１の突起片１２との間に天井パネル２の折り曲げ片２３が嵌合出来る高さが要求される。【００１３】  壁パネル１は天井パネル２を取付けるのにビス５を用いないので、図４に示されたようなビス５の脚を収納する空間を設けることなく接着剤等を用いて建物の躯体７に密着して立設することができる。【００１４】  次いで天井パネル２が壁パネル１と壁パネル１に取付けられた天井板取付け金具１１の間に設けられた間隙に天井パネル２の折り曲げ片２３を挿入し嵌合した後、断面コ字型の天井固定ピース３がその凹溝３１に天井板取付け金具１１の突起片１２を挟むように挿入される。天井パネル２は天井パネル２の外方に延びた化粧材２２の突出部２４が壁パネル１の上辺と天井板取付金具１１および天井固定ピース３により壁パネル１の上辺に圧着されて固定される。【００１５】  天井固定ピース３は断面コ字型の長尺材でアルミやプラスチックの硬質材で出来ており天井パネル２を設置後、天井パネル２の裏面側より天井固定金具１１の突起片１２を挟むように押し込むことで天井板固定金具１１の突起片１２の下面に設けた鋸歯状部１３によって抜けが防止される。【００１６】  又、壁パネル１の上面に止水パッキン４を設けることも効果的なものである。例えばユニットバスルームを形成したときなど室内で水を使用する場合、水や蒸気が壁パネル１の裏面に入り込むと壁パネル１を構成する基材や、天井パネル２の断熱材２１が吸水しての断熱性を損ないあるいは通気性が悪いために黴の発生を促進する。【００１７】  止水パッキン４を用いることで天井固定ピース３により天井パネル２の折り曲げ片２３を有する天井パネル２の突出部２４が止水パッキン４に押しつけられ、壁パネル１と天井パネル２の折り曲げ片２３を有する表面突出部２４との間が止水パッキンにより密に閉鎖され水や蒸気が入り込むことがない。【００１８】  なお、本実施例では天井パネル２の基材に断熱材２１を用いているが、マンション等上方にコンクリートスラブがある場合はスラブの熱容量が大であるため必ずしも断熱材２１は必要でなく壁パネル１と同様の基材で天井パネル２を構成しても支障はない。【００１９】  この様に本発明では、天井パネル２と壁パネル１はビス５を用いることなく施工が出来るので施工が容易になる。また建物の躯体７と壁パネル１との間の空間が小さくなるためデッドスペースが少なくなりユニットルームが広くなるものである。
【図面の簡単な説明】
【００２０】
【図１】  本発明に係る天井パネルと壁パネルの接合構造を示す断面図である。
【図２】  天井パネルの一部切欠き斜視図。
【図３】  天井固定ピースの一部切欠き斜視図。
【図４】  従来例を示す断面図である。
【符号の説明】
【００２１】１      壁パネル
１１    天井板取付け金具
１２    天井板取付け金具の突起片
１３    突起片の下面に設けた鋸歯状部
２      天井パネル
２１    天井断熱材
２２    天井パネルの化粧材
２３    折り曲げ片
２４    天井パネルの突出部
３      天井固定ピース
３１    天井固定ピースの凹溝
４      止水パッキン
５      ビス
６      回り縁
７      躯体
【図１】
2006299778.tif 000003
【図２】
2006299778.tif 000004
【図３】
2006299778.tif 000005
【図４】
2006299778.tif 000006